(57)【要約】      （修正有）【課題】周囲が二重構造で上面に平面と壁を有する段ボール身箱において、上面の四角部分が開かない段ボール身箱を提供する。【解決手段】主に桃、梨等の青果物や贈答用の品物を入れる段ボール製で、底板１に連接する外側板２と内側板３、外妻板５と内妻板６が上面に側頂板４と妻頂板７を設けた周囲が二重構造の壁を有する身箱であって、両妻頂板７両端に斜面を有する頂板係止片８と両側頂板４両端に頂板係止斜面Ａを設けてなる。【選択図】図１
2008074472.tif 000002
【特許請求の範囲】
【請求項１】
主に桃、梨等の青果物とか贈答用の品物を入れる段ボール製で、底板に連接する外側板と内側板、外妻板と内妻板が上面に側頂板と妻頂板を設けた周囲が二重構造の壁を有する身箱であって、両妻頂板両端に斜面を有する頂板係止片と両側頂板両端に頂板係止斜面を設けたこと特徴とする段ボール身箱。                          
【請求項２】
両内側板先端に各３箇の側板戻止突起と両内妻板先端に各２個の妻板戻止突起を設け、底板には内側板先端接線上に側板突起の内側が接する側板外戻止穴を両側に各２箇、外側が接する側板内戻止穴を中央に各１箇と、妻板の外側が接する妻板内戻止穴を各２箇設けたことを特徴とする請求項１に記載の段ボール身箱。
【発明の詳細な説明】
【技術分野】
【０００１】
本発明は、周囲が二重構造で上面に平面を有する段ボール身箱に関するものである。
【背景技術】
【０００２】
従来の周囲が二重構造で上面に平面を有する段ボール身箱は、図1に示すように側頂板４と妻頂板７の上面四角は、拡大部分の２点鎖線のように側頂板端部が外向きの台形で接している為に内から圧力が加わると若干外側に逃げて遊びが生じ隙間も目立つ。又、外側板２と内側板３とは図５に示すように側頂板4内側分の間隔Ｓがあり下部では内側板３に圧力を加えると外側板２に向かって移動する。従って、例えば桃を糖度、大きさ別に選果機で選果して箱詰する場合には、桃Ｐの大きさに応じた専用の窪みを有する衝突及び移動防止用のモールドＭを箱内に挿入して使用するが、箱詰してコンベヤーで移動させる場合には、箱がコンベヤー上での振動で側頂板４の遊びと内側板２の移動でモールドＭが箱内で遥動し、最終段階では桃Ｐが箱内で衝突や移動しているのが度々確認されている。
【０００３】
上記の対策として、図６に示すように内側板先端中央に側板内側戻止突起２１を設け、底板の側板外戻止穴２２に嵌入して内側板３の外側板２方向への動きを抑制する方法が提案されている（特許文献1参照）が中央1箇所の為に内側板３の下部両端は外側板２方向への移動と側頂板４の遊びで完全ではなく更なる改良が現場から求められている。
【０００４】
又、手折用では妻頂板の両端を側頂板外側まで延長して角部を側頂板に被せて継目を隠す形式も多く使用されているが側頂板の外側への動きは抑制できず又、側頂板と妻頂板が面一にならないので製函機には使用されていない。
【特許文献１】特開２００６−２７６３３
【発明の開示】
【発明が解決しようとする課題】
【０００５】
解決しようとする問題点は、側板と妻板の周辺が二重構造で頂部を有する段ボール身箱を組立てた時に頂部の四角が開かず、更に、外側板と内側板が等間隔を保つことにより収容物が安定した状態で移送できる点である。
【課題を解決するための手段】
【０００６】
主に桃、梨等の青果物とか贈答用の品物を入れる段ボール製で、底板に連接する外側板と内側板、外妻板と内妻板が上面に側頂板と妻頂板を設けた周囲が二重構造の壁を有する身箱であって、両妻頂板両端に斜面を有する頂板係止片と両側頂板両端に頂板係止斜面を設けてなる。                          
【０００７】
両内側板先端に各３箇の側板戻止突起と両内妻板先端に各２個の妻板戻止突起を設け、底板には内側板先端接線上に側板突起の内側が接する側板外戻止穴を両側に各２箇、外側が接する側板内戻止穴を中央に各１箇と、妻板の外側が接する妻板内戻止穴を各２箇設けてなる。
【発明の効果】
【０００８】
本発明の段ボール身箱は、側頂板と妻頂板で形成する四角部分の接線が、従来は角部外側から角部内側になっているのを妻板両端に、角部内側から側板外側に向かって斜面を有する頂板係止片を設け、側板上面両端に頂板係止片が係止する頂板係止斜面を設けることにより、側頂板が妻頂板に通常の逆斜面で係止するので外側に開かず頂板に隙間も生じない。従って、箱に入れた品物も安定し、身箱が蓋なしで店頭に置かれる場合には箱の見栄えがよくなり商品価値も高まる。
【０００９】
更に、内側板に設けた３箇の側板戻止突起のうち両側２箇を側板の外戻止に、中央を内戻止めにして底板に設けたそれぞれの戻止穴に嵌入することにより外側板と内側板は等間隔をしっかりと保て頂板の係止との相乗効果で二重構造の周囲が固定状態となる。従って、例えば桃を糖度、大きさ別に選果し箱詰にしてコンベヤーで流す際には振動があっても挿入してあるモールドが遥動しないので桃の移動による接触、回転等が少なくなる。又、底板の外戻止穴の開口部は、モールドを挿入した時には空気流通口として箱内底の換気ができ鮮度保持が期待できる。
【００１０】
桃の身箱の場合、現在、製函機用と手折用があり組立て後は同一のサイズ、形状であってもそれぞれ別設計でシートの形状も異なっている。製函機用は手でも簡単に組立てができテスト結果では手折より早く完成する。従って、手折り用に製函機用を使用すれば品質、コスト、在庫管理等あらゆる面での効果が期待できる。
【発明を実施するための最良の形態】
【００１１】
段ボール身箱のシート成形時において側頂板と妻頂板を四角において妻頂板両側に設けた斜面を有する頂板係止片を側頂板両側斜面部に係止させて側板が外側に逃げるのを防止する。更に、内側板先端に設けた３個の側板戻止突起のうち両側２個を底板の外戻止穴に、中央の１個を内戻止穴に嵌入させると共に内妻板先端にも2個の妻板戻止突起を設けて底板の妻板内戻止突起へ嵌入した形態とする。
【実施例】
【００１２】
以下、本発明に実施例を図面に基づいて説明する。図１は、本発明に係わる段ボール身箱の斜視図である。底板１に連結する外側板２、内側板３、側頂板４及び外妻板５、内妻板６、妻頂板７で構成される段ボール身箱の両頂板の四角部分において妻頂板７の両端に斜面を有する頂板係止片８と側頂板４の両端には頂板係止片８が係止する頂板係止斜面Ｂを設けて側頂板４と妻頂板７を係止させることにより外側板２と内側板３、外妻板５と内妻板６が固定状態となり側頂板４と妻頂板７の隙間も目立たない安定した段ボール身箱となる。
【００１３】
図２は、本発明に係わる主に桃を入れる段ボール身箱の製函機用のシート平面図、図３は製函途中の斜視図、図４は製函後の裏面平面図である。製函機による段ボール身箱の製函はそれぞれの罫線Ｂに沿って底板１に連接する外側板１、外妻板５、外側板連結板１０、内側板１１、外側板連結板１２、内妻板６の順番で製函される。この時に、側板戻止突起２１の両端は底板１の側板外戻止穴２２の外側に、中央は側板内戻止穴２３の内側に嵌入するので側板戻止突起２１の両端は外側に、中央は内側に動くのを防止する。次に、内妻板３の製函時には両端の頂板係止片８も同時に製函されるが先に製函されている側頂板４は製函機で両側が挟持され内寸法となっているので頂板係止斜面Ａに重合せず製函終了時には側頂板４が通常寸法に戻り互いが接触して係止する。従って、外側板２と内側板３は一定の間隔を保ち、側頂板４と妻頂板７との相乗効果でより安定した段ボール身箱となる。又、妻板戻止突起２４は妻板戻止穴２５に外側連結板１０と内側連結板１１を介して嵌入するので動きは少ない。
【００１４】
図5は図４の表面から見たＡ−Ａ断面図、図6は図４の表面から見たＢ−Ｂ断面図、図7は図４の表面から見たＣ−Ｃ断面図で、それぞれ箱内にモールドＭと桃Ｐを入れた状態を示す。段ボール身箱内にモールドＭを挿入し桃Ｐを入れて移動させる場合、内側板３の動きが側板戻止突起２１が、相反する側板外戻止穴２２と側板内戻止穴２３により内外の動きが抑制されるのでモールドＭが遥動せず桃Ｐの接触、回転等が防止できる。
【図面の簡単な説明】
【００１５】
【図１】段ボール身箱の斜視図である。
【図２】段ボール身箱のシート平面図である。
【図３】段ボール身箱の組立て途中の斜視図である。
【図４】段ボール身箱の裏面平面図である。
【図５】図4の表面Ａ−Ａ断面図である。
【図６】図４の表面Ｂ−Ｂ断面図である。
【図７】図4の表面Ｃ−Ｃ断面図である。
【符号の説明】
【００１６】
１  底板                        ２１  側板戻止突起
２  外側板                      ２２  側板外戻止穴
３  内側板                      ２３  側板内戻止穴
４  側頂板                      ２４  妻板戻止突起
５  外妻板                      ２５  妻板内戻止穴
６  内妻板                        Ａ  頂板係止斜面
７  妻頂板                        Ｂ  罫線
８  頂板係止片                    Ｍ  モールド
９  外側板連結片                  Ｐ  桃
１０  内側板連結片
【図１】
2008074472.tif 000003
【図２】
2008074472.tif 000004
【図３】
2008074472.tif 000005
【図４】
2008074472.tif 000006
【図５】
2008074472.tif 000007
【図６】
2008074472.tif 000008
【図７】
2008074472.tif 000009